(57)【要約】【課題】洗濯機の給水装置の、洗剤の溶解残りや、給水の片寄りを解消すること。【解決手段】洗剤投入蓋１７と、前方下部に流出空間１８を有する注水装置１９と、給水弁２４とを備え、前記注水装置１９にはゴムパッキン２０を介して給水弁の流出口２２を直接差し込む差込口２３と、給水弁２４をねじ固定するボス２６とを設け、前記注水装置１９の差込口２３部の内部に第１の空間２７と、その第１の空間２７から下方に水を流出する水路２８と、その前方に第１の空間２７より内容積の大きい第２の空間２９を設け、第２の空間２９の前面には流水方向と略直角な壁３０を設け、その壁３０の下方には洗剤投入蓋１７の幅まで広がるように流出空間１８を構成したことにより、給水弁２４と注水装置１９との水密的に連結する構造が確実で、また給水量の多少に関係なく、投入洗剤の溶解残りや、給水の片寄りを解消できる。【選択図】図１
2008067903.tif 000002
【特許請求の範囲】
【請求項１】
洗剤投入蓋を開閉可能に設け、かつ、前方下部の流出空間より洗濯槽内に注水する注水装置と、水道等より洗濯水を供給する給水弁とを備え、前記注水装置にはゴムパッキンを介して給水弁の流出口を直接差し込む差込口と、給水弁をねじ固定するボスとを設け、前記注水装置の差込口部の内部には給水弁から吐出した水を高圧に保つ第１の空間と、その第１の空間から下方に水を流出する水路と、その前方に第１の空間より内容積の大きい第２の空間を設け、第２の空間の前面には流水方向と略直角な壁を設け、その壁の下方には洗剤投入蓋の幅まで広がるように流出空間を構成した洗濯機の給水装置。
【請求項２】
第１の空間は、風呂水給水用のバスポンプの呼び水用の吐出口を設け、第２の空間に前記バスポンプからの風呂水給水口を設けた請求項１記載の洗濯機の給水装置。
【請求項３】
バスポンプからの風呂水給水口は，  注水装置の後面に設けると共に円筒に形成し、円筒の軸方向を流水方向と平行に設けた請求項１または２記載の洗濯機の給水装置。
【請求項４】
第２の空間は、バスポンプから供給された風呂水が衝突するしきり板を設けた請求項１〜３記載の洗濯機の給水装置。
【請求項５】
注水装置は、注水部材と蓋部材で構成され、第１の空間から下方に水を流し出す水路と、バスポンプから供給された風呂水が衝突するしきり板を蓋部材にて構成した請求項１〜４記載の洗濯機の給水装置。
【発明の詳細な説明】
【技術分野】
【０００１】
本発明は洗濯時やすすぎ時に整流された水を洗濯槽内に注ぐ洗濯機の給水装置に関するものである。
【背景技術】
【０００２】
従来、洗濯機の給水装置は、洗剤投入蓋を開閉自在に設けた流出口より洗濯兼脱水槽内に注水する注水装置を備え、流出口に注水流を拡散するリブ等を設ける構成が一般的であった（例えば特許文献１参照）。
【０００３】
図４〜６は従来の洗濯機の給水装置を示すもので、以下その構成について説明する。
【０００４】
図４に示すように、水受け槽１は、底部にパルセーター２を回転自在に配設した洗濯兼脱水槽３を内包し、吊り棒４によって外枠５に吊り下げられている。外枠５の上部に上部外装体６を装着し、上部外装体６の略中央部に布投入口７を形成し、蓋８で覆っている。
【０００５】
また、上部外装体６の後部には、給水弁１０に連通する注水装置１１を装着している。
【０００６】
前記注水装置１１は、図５の分解斜視図に示すように、給水弁１０とは可撓性を有するゴムやプラスチック材で構成された注水ホース９にて水密的に連結するとともに、洗濯時やすすぎ時における水を流出口１２より洗濯兼脱水槽３内に注水するもので、洗剤投入蓋１５を装着し、図６の要部断面図に示すようにこの洗剤投入蓋１５ａの状態の一点鎖線で示すように、開閉可能としている。
【０００７】
洗剤投入蓋１５が閉状態では、洗剤投入蓋１５の下端部の流出口１２より洗濯兼脱水槽３内に注水され、洗剤投入蓋１５が開状態では、洗剤投入蓋１５上に洗剤を投入することにより、洗濯時の洗濯水とともに洗剤を溶解しながら洗濯兼脱水槽３内に注水する。
【０００８】
所定の水位に達すると、パルセーター２を駆動して洗濯する。洗濯が終了し高濃度の洗濯液を排水した後、すすぎ行程では、水受け槽１内に水を溜めて、衣類についている洗剤成分をすすぎ水の中で拡散し希釈を行っている。
【特許文献１】特開平１０−１５６０８７号公報
【発明の開示】
【発明が解決しようとする課題】
【０００９】
しかしながら、このような従来の構成では、給水弁１０と給水装置１１を連結ホース９にて連結しているため、給水弁１０からの高水圧が連結ホース９に直接加わるので、注水ホース９の取付けのバラツキや材質の経年変化等によっては、外れて水漏れするなどの不具合が発生することがあった。
【００１０】
また、洗剤投入蓋１５を開状態とし、洗剤投入蓋１５上に洗剤を投入して、洗濯水とともに洗剤を溶解しながら洗濯兼脱水槽３内に注水するとき、使用する水道水圧により影響を受ける給水量の変化によって、例えば少ない場合、洗剤投入蓋１５の全面にわたって注水できない場合があり、洗剤投入蓋１５上に投入した洗剤の溶解残りが発生するという課題を有していた。
【００１１】
一方、流量が多い場合は、水流の勢いによって洗濯槽への給水時に片寄りが生じ、使用者の美観を損なうという課題も有していた。
【００１２】
また、風呂水の残り水を使用する為のバスポンプ（図示せず）を搭載する場合、バスポンプの呼び水を満たす機構や、バスポンプから供給される水を、給水弁１０からの給水と同様に、撥ね返り等が無いように整流し洗濯兼脱水槽に投入する機構が別途必要であった。
【００１３】
本発明は上記課題を解決するもので、給水弁から高水圧が流れても給水弁と注水装置との水密的に連結する構造が、外れるなどの可能性が無く、また給水量の多少に関係なく、投入洗剤の溶解残りや、給水の片寄りを解消するとともに、バスポンプを搭載可能な洗濯機の給水装置を得ることを目的としている。
【課題を解決するための手段】
【００１４】
前記従来の課題を解決するために、本発明の洗濯機は、洗剤投入蓋を開閉可能に設けた洗濯槽内に注水する注水装置は、ゴムパッキンを介して給水弁の流出口を直接差し込める差込口と給水弁をねじ止めするボスを設け、前記差込口部には給水弁から吐出した水を高圧に保つ第１の空間と、第１の空間より内容積の大きい第２の空間を連通して設け、第２の空間の最前面には流水方向と略直角な壁を設けて水の流れの勢いを止め、その壁の下方には洗剤投入蓋の幅まで広がる流出空間を設けたものである。
【００１５】
これによって、給水弁と注水装置との水密的に連結する構造が確実で、また給水量の多少に関係なく、投入洗剤の溶解残りや、給水の片寄りを解消する事が出来る。
【発明の効果】
【００１６】
本発明の洗濯機の給水装置は、給水弁と注水装置との連結が外れること無く、また給水量の多少に関係なく、投入洗剤の溶解残りや、給水の片寄りを解消するとともに、バスポンプを搭載可能な洗濯機の給水装置を得ることが出来る。
【発明を実施するための最良の形態】
【００１７】
第１の発明は、洗剤投入蓋を開閉可能に設け、かつ、前方下部の流出空間より洗濯槽内に注水する注水装置と、水道等より洗濯水を供給する給水弁とを備え、前記注水装置にはゴムパッキンを介して給水弁の流出口を直接差し込む差込口と、給水弁をねじ固定するボスとを設け、前記注水装置の差込口部の内部には給水弁から吐出した水を高圧に保つ第１の空間と、その第１の空間から下方に水を流出する水路と、その前方に第１の空間より内容積の大きい第２の空間を設け、第２の空間の前面には流水方向と略直角な壁を設け、その壁の下方には洗剤投入蓋の幅まで広がるように流出空間を構成したことにより、注水装置は給水弁をねじ固定しているので給水弁から吐出した水圧が高い場合でも、注水装置と電磁給水弁が外れることは無く、また、給水弁から吐出した水を高圧に保つ第１の空間と、その第１の空間から下方に水を流出する水路と、その前方に第１の空間より断面積の大きい第２の空間を設けることによって、給水は整流され、さらに第２の空間の最前面には流水方向と略直角な壁を設けて水の流れの勢いを止め、その壁の下方には注水装置の幅まで広がる空間を設けることにより、投入洗剤の溶解残りや、給水の片寄りによる衣類から跳ね返り等を解消することができる。
【００１８】
第２の発明は、特に、第１の発明の第１の空間は、風呂水給水用のバスポンプの呼び水用の吐出口を設け、第２の空間に前記バスポンプからの風呂水給水口を設けたことにより、容易にバスポンプを搭載可能な洗濯機の給水装置を構成できると共に、円滑なバスポンプへの呼び水が可能となる。
【００１９】
第３の発明は、特に、第１または第２の発明のバスポンプからの風呂水給水口は，  注水装置の後面に設けると共に円筒に形成し、円筒の軸方向を流水方向と平行に設けたことにより、バスポンプ３１から給水された水は片寄ることなく注水装置１９前方、即ち第２の空間に流すことができる。
【００２０】
第４の発明は、特に第１〜３のいずれか１つの発明の第２の空間は、バスポンプから供給された風呂水が衝突するしきり板を設けたことにより、バスポンプから供給された水の勢いを止めるとともに左右および下方に水を広げ、第２の空間の最前面に設けた壁によって見栄え良く、洗濯兼脱水槽に給水することが可能となる。
【００２１】
第５の発明は、特に第１〜４のいずれか１つの発明の注水装置は、注水部材と蓋部材で構成され、第１の空間から下方に水を流し出す水路と、バスポンプから供給された風呂水が衝突するしきり板を蓋部材にて構成したことにより、機能の一体構成を簡単な組合せにて実現できる。
【００２２】
（実施の形態１）
図１は、本発明の第１の実施の形態における洗濯機の給水装置の分解組立図であり、図２は、同洗濯機の給水装置の洗濯機の断面図、図３は同洗濯機の給水装置の後方から見た部分分解斜視図である。
【００２３】
図１〜図３に示すように、注水装置１９は、プラスチック成型品で構成される注水部材３５と蓋部材３６との組合せ、および洗剤投入蓋１７を開閉可能に設けて構成される。
【００２４】
そして、注水部材３５と蓋部材３６を組みたてた状態で形成される前方の流出空間１８より、前記洗濯槽（図示せず）内に注水すると共に、前記注水装置１９には、円筒状の防水用のゴムパッキン２０を介して円筒形の給水弁２１の流出口２２を挿入する差込口２３を設け、水密的に連結する。なお、上記差込口２３は、注水部材３５が構成する第１の空間２７の側壁に形成する。
【００２５】
さらに注水装置１９と給水弁２４とを固定する為に、給水弁２４に取付フランジ２１を形成し、注水装置１９側には、取付フランジ２１に対応する位置にボス２６を設け、流出口２２をゴムパッキン２０を介して差込口２３に挿入後、ねじ２５にて固定する。
【００２６】
注水装置１９の後方には、前記給水弁２４から吐出された水が一旦流入する第１の空間２７を注水部材３５に一体に設け、前記第１の空間２７の下方には図２で示した水路２８を形成し、その前方に第１の空間２７より内容積の大きい第２の空間２９を、注水部材３５と蓋部材３６との組合せにより構成する。
【００２７】
さらに第２の空間２９の最前面には流水方向と略直角に壁３０を蓋部材３６に一体に設け、その壁３０の下方には注水部材３５の横幅まで広がる流出空間１８を設ける。
【００２８】
洗剤投入蓋１７は、注水部材３５の前面下部に設けた略円筒計形の凸部４１に、洗剤投入蓋１７に設けたＣ字状の嵌合部４２を回動自在に装着させ、その横幅は前記流出空間の横幅と同等または若干大きい形状とする。
【００２９】
さらに、第１の空間２７にバスポンプ３１の呼び水用の吐出口３２を設け、第２の空間２９の後面３９にバスポンプ３１からの円筒状風呂水給水口３８を設け、風呂水給水口３８からの流水方向を、給水弁２４から第１の空間２７を通り第２の空間２９に流入する流水方向と同じになるように円筒状の風呂水給水口３８の軸方向を形成する。呼び水用の吐出口３２および風呂水給水口３８は、いずれも注水部材３５に一体形成する。
【００３０】
また、第２の空間２９内に、蓋部材３６から下方に垂下した形状のしきり板４０（図２、図４を参照）を一体に形成し、かつ前記しきり板４０の下端は、前記風呂水給水口３８より下方に位置するように構成する。
【００３１】
以上のように構成された洗濯機の給水装置について、以下、その動作、作用を説明する。
【００３２】
給水弁２４と、注水装置１９とは、ねじ２５にてねじ止めされているので、給水弁２４から高い水圧の給水が作用しても、注水装置１９と給水弁２４が外れることはない。
【００３３】
また、給水弁２４を図１に示すように注水装置１９の後方側面に取付けることによって給水弁２４から吐出した水は、差込口２３面と反対の側面に激しく衝突し、勢いを弱める。
【００３４】
さらに吐出した水を高圧に保つ第１の空間２７と、その第１の空間から下方に水を流出する水路２８と、その前方に第１の空間より内容積の大きい第２の空間２９を設けることによって、給水は減圧整流され、さらに第２の空間２９の最前面には流水方向と略直角に壁３０を設け、その壁３０の下方には注水部材３５の幅まで広がる流出空間１８を設けているので、整流された水が幅広く洗剤投入蓋１７に流れるため、投入洗剤の溶解残りが解消され、また、給水の片寄りを解消することができるので、注水パターンが幅広くなり美観が優れていると共に、注水流が集中して衣類からの跳ね返りや水飛びも防止できる。
【００３５】
さらに、第１の空間２７にバスポンプ３１の呼び水用の吐出口３２を設け、第２の空間２９にバスポンプ３１からの風呂水給水口を設ける構成は、注水部材３５に一体形成しているので、バスポンプ３１が搭載可能な洗濯機の給水装置を簡単に構成することが可能となる。また、呼び水用の吐出口３２を第１の空間２７に設けて、高圧に保たれた水流をバスポンプに供給できるので、円滑な呼び水が可能となる。また、バスポンプ３１からの円筒状の風呂水給水口３８は注水装置１９の後面に設け円筒の軸方向を、流水方向と平行に設けているので、バスポンプ３１から給水された水は片寄ることなく注水装置１９前方に流すことができる。
【００３６】
さらに、第２の空間２９内に、バスポンプ３１から供給された風呂水が衝突する、しきり板４０を設けることにより、バスポンプ３１から供給された水の勢いを止めるとともに左右および下方に水を広げ、第２の空間２９の最前面に設けた壁３０によって見栄え良く、洗濯兼脱水槽に給水することが可能となる。
【００３７】
またこの注水装置１９は、注水部材３５と蓋部材３６で構成され、第１の空間２７から下方に水を抜く水路２８と、バスポンプ３１から供給された風呂水が衝突するしきり板４０を蓋部材にて構成することによって成形加工品にて容易に実現できる。
【００３８】
以上のように本実施の形態により、注水部材３５と蓋部材３６および洗剤投入蓋１７との組合せによる構成で、給水弁２４との確実な水密連結、第１の空間での注水圧力の減圧、第２の空間で給水弁２４からの給水および風呂水からの流水の拡散により幅広い注水流での洗剤溶解の向上と美観を損なわない注水パターン、バスポンプ３１への呼び水および風呂水給水口３８等の機能の一体構成、等が可能となる有効な提案が出来る。
【産業上の利用可能性】
【００３９】
以上のように本発明に係る洗濯機の給水装置は、水道からの給水と、風呂水等の残り水使用と、洗剤の溶解機能と一体に構成をすることが可能となるので、複数の水供給を洗剤投入と溶解に利用する機器に適用できる。
【図面の簡単な説明】
【００４０】
【図１】本発明の実施の形態１における洗濯機の給水装置の分解組立図
【図２】同洗濯機の給水装置の洗濯機の断面図
【図３】同洗濯機の給水装置の後方から見た部分分解斜視図
【図４】従来の洗濯機の縦断面図
【図５】従来の洗濯機の給水装置の分解斜視図
【図６】従来の洗濯機の給水装置の要部断面図
【符号の説明】
【００４１】
１７  洗剤投入蓋
１８  流出空間
１９  注水装置
２０  ゴムパッキン
２２  流出口
２３  差込口
２４  給水弁
２６  ボス
２７  第１の空間
２８  水路
２９  第２の空間
３０  壁
３１  バスポンプ
３２  吐出口
３５  注水部材
３６  蓋部材
３８  風呂水給水口
４０  しきり板
【図１】
2008067903.tif 000003
【図２】
2008067903.tif 000004
【図３】
2008067903.tif 000005
【図４】
2008067903.tif 000006
【図５】
2008067903.tif 000007
【図６】
2008067903.tif 000008